【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
電圧出力を有し、信号の有無に基づいて該電圧出力が変わるように信号に応答するＲＦＩＤタグと、
その上にコンテントを符号化させるようになったコンテント層と、
前記コンテント層と前記ＲＦＩＤタグとに関連付けられた電圧制御光学変更層であって、前記信号が該ＲＦＩＤタグに印加され、該ＲＦＩＤタグが該電圧制御光学変更層への電圧出力において適切な電圧信号を提供しない限り、該コンテント層の少なくとも一部分が光ディスクプレーヤによって使用されるのを防止することができる、前記電圧制御光学変更層と、
を含むことを特徴とする光ディスク。
【請求項２】
前記光ディスクは、光学メモリカードを含むことを特徴とする請求項１に記載の光ディスク。
【請求項３】
前記電圧制御光学層は、液晶材料、圧電材料、及び制御可能な鏡面から成る群から選択された材料を含むことを特徴とする請求項１に記載の光ディスク。
【請求項４】
前記ＲＦＩＤタグは、前記電圧出力を変える前に所定のデータシーケンスに応答することを特徴とする請求項１に記載の光ディスク。
【請求項５】
前記電圧制御光学変更層は、前記コンテント層を読み取ることができる１つの状態と該コンテント層を読み取ることができない１つの状態の２つの状態で安定な材料を含むことを特徴とする請求項１に記載の光ディスク。
【請求項６】
前記光ディスクは、ＤＶＤ、オーディオＣＤ、ソフトウエアＣＤ、ＣＤＲＷ、及び追記型ＣＤから成る群から選択されたディスクを含むことを特徴とする請求項１に記載の光ディスク。
【請求項７】
前記ＲＦＩＤタグは、１２５ｋＨｚ、１３．５６ＭＨｚ、９１５ＭＨｚ、及び２４５０ＭＨｚから成る群から選択された中心周波数付近の周波数帯域に対して応答することを特徴とする請求項１に記載の光ディスク。
【請求項８】
前記ＲＦＩＤタグは、適切な問合せ信号を受け取ると、前記コンテント層が読取可能であるように前記電圧制御光学変更層を第２の状態に無期限に変更させる電圧を出力することを特徴とする請求項１に記載の光ディスク。
【請求項９】
前記コンテント層は、適切な信号の存在とは無関係にアクセス可能な遠隔位置に接続するためのデータを提供するコンテントを含むことを特徴とする請求項１に記載の光ディスク。
【請求項１０】
前記電圧制御光学変更層は、前記コンテント層を、適切な問合せ信号に曝された後に所定量の時間の間読取可能にすることを特徴とする請求項１に記載の光ディスク。
【請求項１１】
前記ＲＦＩＤタグは、問合せ装置によって生成された問合せ信号に応答することを特徴とする請求項１に記載の光ディスク。
【請求項１２】
光ディスクの使用を制御する方法であって、
光ディスクにＲＦＩＤタグを取り付ける段階と、
所定の信号で前記光ディスクに問合せする段階と、
前記ＲＦＩＤタグから出力電圧を生成する段階と、
前記出力電圧を電圧制御光学変更層に誘導し、該光学変更層の光学特性が変化して、コンテントをコンテント層から読み取ることを可能にする段階と、
を含むことを特徴とする方法。
【請求項１３】
前記光ディスクに問合せする段階は、光ディスクプレーヤに一体化された問合せ装置で該光ディスクに問合せする段階を含むことを特徴とする請求項１２に記載の方法。
【請求項１４】
前記光ディスクに問合せする段階は、光ディスクプレーヤから独立したユニットとして作動する問合せ装置で該光ディスクに問合せする段階を含むことを特徴とする請求項１２に記載の方法。
【請求項１５】
前記所定の問合せ信号を送信する許可を確保するために遠隔位置と連絡する段階を更に含むことを特徴とする請求項１２に記載の方法。
【請求項１６】
遠隔位置と連絡する段階は、問合せ装置で遠隔位置と連絡する段階を含むことを特徴とする請求項１５に記載の方法。
【請求項１７】
遠隔位置と連絡する段階は、光ディスクプレーヤで遠隔位置と連絡する段階を含むことを特徴とする請求項１５に記載の方法。
【請求項１８】
光ディスクプレーヤで前記光ディスクを読み取る段階を更に含むことを特徴とする請求項１２に記載の方法。
【請求項１９】
光ディスクプレーヤで前記光ディスクに書込む段階を更に含むことを特徴とする請求項１２に記載の方法。
【請求項２０】
前記光ディスクからソフトウエアをインストールする段階を更に含むことを特徴とする請求項１２に記載の方法。
【請求項２１】
前記光ディスクをジュークボックスにインストールする段階を更に含むことを特徴とする請求項１２に記載の方法。
【請求項２２】
前記光ディスク上に機密情報を保存し、前記所定の信号が存在する場合以外はそこへのアクセスを妨げる段階を更に含むことを特徴とする請求項１２に記載の方法。
【請求項２３】
前記所定の信号が存在する場合に、前記光ディスク上のオーディオコンテントへのアクセスを許可する段階を更に含むことを特徴とする請求項１２に記載の方法。
【請求項２４】
前記所定の信号が不在の場合に、前記光ディスク上の前記オーディオコンテントへのアクセスを拒否する段階を更に含むことを特徴とする請求項２３に記載の方法。
【請求項２５】
前記所定の信号が存在する場合に、前記光ディスク上のビデオコンテントへのアクセスを許可する段階を更に含むことを特徴とする請求項１２に記載の方法。
【請求項２６】
前記所定の信号が不在の場合に、前記光ディスク上の前記ビデオコンテントへのアクセスを拒否する段階を更に含むことを特徴とする請求項２５に記載の方法。
【請求項２７】
前記出力電圧を電圧制御光学変更層に誘導し、該光学変更層の光学特性が変化して、コンテントをコンテント層から読み取ることを可能にする段階は、双状態光学変更層の状態を第１の状態から第２の状態に変化させる段階を含み、
前記光学変更層は、前記第２の状態に無期限にとどまる、
ことを特徴とする請求項１２に記載の方法。
【請求項２８】
前記出力電圧を電圧制御光学変更層に誘導し、光学変更層の光学特性が変化して、コンテントをコンテント層から読み取ることを可能にする段階は、液晶材料の屈折率を変更する段階を含むことを特徴とする請求項１２に記載の方法。
【請求項２９】
前記出力電圧を電圧制御光学変更層に誘導し、光学変更層の光学特性が変化して、コンテントをコンテント層から読み取ることを可能にする段階は、鏡面の反射特性を変更する段階を含むことを特徴とする請求項１２に記載の方法。
【請求項３０】
前記出力電圧を電圧制御光学変更層に誘導し、光学変更層の光学特性が変化して、コンテントをコンテント層から読み取ることを可能にする段階は、圧電材料の形状を変化させる段階を含むことを特徴とする請求項１２に記載の方法。
【請求項３１】
前記所定の信号で光ディスクに問合せする段階は、支払い業務中の小売り環境で前記光ディスクに問合せする段階を含むことを特徴とする請求項１２に記載の方法。
【請求項３２】
前記所定の信号で光ディスクに問合せする段階は、該光ディスク上のコンテントに対するアクセスの購入を希望する消費者からの支払いを確保した後に、所定の問合せ信号で該光ディスクに問合せする段階を含むことを特徴とする請求項１２に記載の方法。
【請求項３３】
光ディスク上の情報を保護する方法であって、
光ディスクをＲＦＩＤタグ及び電圧制御光学変更層に関連付ける段階と、
所定の信号が不在の場合に前記光ディスク上のコンテント層の少なくとも一部分がアクセス不能であるように、前記光学変更層を前記ＲＦＩＤタグで制御する段階と、
を含むことを特徴とする方法。
【請求項３４】
前記光学変更層を制御する段階は、レーザが前記コンテント層から読み取る又はこれに書き込むことができないように、前記ＦＲＩＤタグの出力電圧を使用して該光学変更層の屈折率を変更する段階を含むことを特徴とする請求項３３に記載の方法。
【請求項３５】
前記光学変更層を制御する段階は、液晶材料、圧電材料、及び制御可能な鏡面材料から成る群から選択された材料を制御する段階を含むことを特徴とする請求項３３に記載の方法。
【請求項３６】
前記所定の信号で前記光ディスクに問合せする段階を更に含むことを特徴とする請求項３３に記載の方法。
【請求項３７】
前記光ディスクに問合せする段階は、光ディスクプレーヤに一体化された問合せ装置で該光ディスクに問合せする段階を含むことを特徴とする請求項３６に記載の方法。
【請求項３８】
前記光ディスクに問合せする段階は、光ディスクプレーヤとは別の問合せ装置で該光ディスクに問合せする段階を含むことを特徴とする請求項３６に記載の方法。
【請求項３９】
遠隔位置から前記所定の信号を生成する許可を確保する段階を更に含むことを特徴とする請求項３６に記載の方法。
【請求項４０】
前記光ディスクのコンテント層へのアクセスを前記所定の信号に曝された後に所定量の時間の間許可する段階を更に含むことを特徴とする請求項３３に記載の方法。
【請求項４１】
光ディスク上のコンテントを制御する方法であって、
コンテントを光ディスク上に保存する段階と、
前記光ディスクに関連するＲＦＩＤタグに対する所定の信号が不在の場合に、該光ディスクからのコンテントの少なくとも一部分の読取りを妨げる段階と、
を含むことを特徴とする方法。
【請求項４２】
前記光ディスクに近接して前記所定の信号を生成する段階を更に含むことを特徴とする請求項４１に記載の方法。
【請求項４３】
前記所定の信号を生成する前に遠隔位置と連絡する段階を更に含むことを特徴とする請求項４２に記載の方法。
【請求項４４】
遠隔位置と連絡する段階は、ネットワーク上で遠隔位置と連絡する段階を含むことを特徴とする請求項４３に記載の方法。
【請求項４５】
遠隔位置と連絡する段階は、前記所定の信号を生成する前に支払い業務を開始する段階を更に含むことを特徴とする請求項４３に記載の方法。
【請求項４６】
前記光ディスクに関連するＲＦＩＤタグに対する所定の信号が不在の場合に、光ディスクからのコンテントの読取りを妨げる段階は、光ディスク読取装置が該コンテントへアクセスすることを、該光ディスク読取装置による該光ディスクの表面からの戻り信号の確保を妨げることによって防止する段階を含むことを特徴とする請求項４１に記載の方法。
【請求項４７】
前記光ディスク読取装置による光ディスクの表面からの戻り信号の確保を妨げる段階は、液晶材料、制御可能な鏡面材料、及び圧電材料から成る群から選択された材料を使用する段階を含むことを特徴とする請求項４６に記載の方法。
【請求項４８】
前記所定の信号を受け取ると、前記ＲＦＩＤタグで出力電圧を生成する段階を更に含むことを特徴とする請求項４６に記載の方法。
【請求項４９】
前記ＲＦＩＤタグの前記出力電圧を使用して、前記光ディスク上の電圧制御光学変更層の品質を該ディスクが光ディスク読取装置によって読取可能になるように変更する段階を更に含むことを特徴とする請求項４８に記載の方法。
【請求項５０】
前記光ディスク上にコンテントを保存する段階は、ＤＶＤ上にビデオコンテントを保存する段階を含むことを特徴とする請求項４１に記載の方法。
【請求項５１】
前記光ディスクに関連するＲＦＩＤタグに対する所定の問合せ信号が不在の場合に、光ディスクからのコンテントの読取りを妨げる段階は、遠隔位置からの許可を確保した後に該コンテントに対するペイ・パー・ビュー・アクセスを選択的に可能にする段階を含むことを特徴とする請求項４１に記載の方法。
【請求項５２】
前記コンテントがソフトウエアであることを特徴とする請求項４１に記載の方法。
【請求項５３】
ジュークボックスでの盗難を阻止する方法であって、
光ディスクを該光ディスク上の光学変更層を制御するＲＦＩＤタグと関連付ける段階と、
前記光ディスクをジュークボックスにインストールする段階と、
前記ＲＦＩＤタグにより前記光学変更層が前記ジュークボックスに関連する光ディスク読取装置に対して前記光ディスクを読取可能にするように、所定の信号で該ＲＦＩＤタグに問合せする段階と、
を含むことを特徴とする方法。
【請求項５４】
光ディスクを光ディスク上の光学変更層を制御するＲＦＩＤタグと関連付ける段階は、１２５ｋＨｚ、１３．５６ＭＨｚ、９１５ＭＨｚ、及び２４５０ＭＨｚから成る群から選択された周波数付近を中心とする周波数で作動するＲＦＩＤタグと関連付ける段階を含むことを特徴とする請求項５３に記載の方法。
【請求項５５】
前記所定の信号が不在の場合に、前記光学変更層により前記光ディスクを光ディスク読取装置に対して読取不能にする段階を更に含むことを特徴とする請求項５３に記載の方法。
【請求項５６】
前記所定の信号が不在の場合に、光学変更層により光ディスクを光ディスク読取装置に対して読取不能にする段階は、圧電層、液晶層、及び制御可能な鏡面層から成る群の材料から選択された光学変更層により該光ディスクを読取不能にする段階を含むことを特徴とする請求項５５に記載の方法。
【請求項５７】
光ディスクを光ディスク上の光学変更層を制御するＲＦＩＤタグと関連付ける段階は、該ＲＦＩＤタグからの出力電圧で該光学変更層を制御する段階を含むことを特徴とする請求項５３に記載の方法。
【請求項５８】
小売店事業所における窃盗を妨げる方法であって、
光ディスクを該光ディスク上の光学変更層を制御するＲＦＩＤタグと関連付ける段階と、
前記光学変更層を、前記光ディスクの少なくとも一部分を光ディスク読取装置に対して読取不能にする第１の状態で存在させる段階と、
消費者が前記光ディスクの代金を支払った後に、前記光学変更層を該光ディスクが光ディスク読取装置に対して読取可能である第２の状態に選択的に変更する段階と、
を含むことを特徴とする方法。
【請求項５９】
前記選択的に変更する段階は、前記光ディスク上の前記ＲＦＩＤタグに信号を送る段階を含むことを特徴とする請求項５８に記載の方法。
【請求項６０】
前記光ディスク上のＲＦＩＤタグに信号を送る段階は、店舗販売時点情報管理装置に組み込まれた問合せ装置から問合せ信号を送る段階を含むことを特徴とする請求項５９に記載の方法。
【請求項６１】
前記光ディスク上のＲＦＩＤタグに信号を送る段階は、該光ディスクの代金回収処理を担当する販売店員に付随する携帯式問合せ装置から問合せ信号を送る段階を含むことを特徴とする請求項５９に記載の方法。
【請求項６２】
信号を送る段階は、１２５ｋＨｚ、１３．５６ＭＨｚ、９１５ＭＨｚ、及び２４５０ＭＨｚから成る群から選択された周波数付近を中心とする周波数で問合せ信号を送る段階を含むことを特徴とする請求項５８に記載の方法。
【請求項６３】
前記ＲＦＩＤタグに関連するメモリにフラグを設定する段階を更に含むことを特徴とする請求項５８に記載の方法。
【請求項６４】
前記ＲＦＩＤタグに関連するメモリにフラグを設定する段階は、前記光ディスクが合法的に購入されたことを指示する段階を含むことを特徴とする請求項６３に記載の方法。
【請求項６５】
前記光ディスクがどこから合法的に購入されたかという指示及びタイムスタンプをメモリに保存する段階を更に含むことを特徴とする請求項６４に記載の方法。
【請求項６６】
エッジを有するコンテント担持媒体と、
前記エッジに近接する光電池領域と、
前記コンテント担持媒体に関連する電圧制御光学変更層と、
ディスク書込装置が前記光電池領域上に所定の問合せ信号の書込みを試みた後に、前記電圧制御光学変更層により前記コンテント担持媒体にアクセスすることが可能になる出力電圧を生成するような、前記光電池領域に付随するチップと、
を含むことを特徴とする光学装置。